(57)【要約】【課題】握力の弱い高齢者や身体障害者であっても、身体のバランスを維持するための保持力を得やすくして、安全に階段の昇降等ができるようにした手摺りの補助保持具を提供すること。【解決手段】長尺の棒状部材２を主体とする手摺りＨの補助保持具２であって、手摺りＨを構成する棒状部材２に、この棒状部材２の軸に対して略直角に上方に突出して取り付けられる握り部材１から構成する。【選択図】図１
2010053581.tif 000002
【特許請求の範囲】
【請求項１】
長尺の棒状部材を主体とする手摺りの補助保持具であって、手摺りを構成する棒状部材に、該棒状部材の軸に対して略直角に上方に突出して取り付けられる握り部材からなることを特徴とする手摺りの補助保持具。
【請求項２】
握り部材が直線状の棒状片からなることを特徴とする請求項１記載の手摺りの補助保持具。
【請求項３】
握り部材が先端側を曲げた棒状片からなることを特徴とする請求項１記載の手摺りの補助保持具。
【発明の詳細な説明】
【技術分野】
【０００１】
本発明は、手摺りの補助保持具に関し、特に、握力の弱い高齢者や身体障害者が、手摺りを保持しながら安全に階段の昇降等ができるようにした手摺りの補助保持具に関するものである。
【背景技術】
【０００２】
従来、公共施設や家庭の階段において、昇降を補助するために手摺りが設けられている。
【０００３】
ところで、手摺りには、通常、円形や楕円形等の所定の断面形状をした長尺の棒状部材が用いられているが、この棒状部材は、歩行者の手が引っかからないように滑らかに形成されているため、特に、握力の弱い高齢者や身体障害者の場合には、棒状部材を持つ手が滑って歩行に支障を来すという問題があった。
【０００４】
これに対処するため、棒状部材の断面形状を異形にすることも提案されている（例えば、特許文献１参照）が、この場合、歩行者が身体のバランスの維持のために棒状部材から得ようとする保持力の方向が、棒状部材の軸方向と一致するため、大きな保持力を得にくいという問題があった。
【特許文献１】特開２００１−２９５４４４号公報
【発明の開示】
【発明が解決しようとする課題】
【０００５】
本発明は、上記従来の手摺りの有する問題点に鑑み、握力の弱い高齢者や身体障害者であっても、身体のバランスを維持するための保持力を得やすくして、安全に階段の昇降等ができるようにした手摺りの補助保持具を提供することを目的とする。
【課題を解決するための手段】
【０００６】
上記目的を達成するため、本発明の手摺りの補助保持具は、長尺の棒状部材を主体とする手摺りの補助保持具であって、手摺りを構成する棒状部材に、該棒状部材の軸に対して略直角に上方に突出して取り付けられる握り部材からなることを特徴とする。
【０００７】
この場合において、握り部材を、直線状の棒状片から構成することができる。
【０００８】
また、握り部材を、先端側を曲げた棒状片から構成することができる。
【発明の効果】
【０００９】
本発明の手摺りの補助保持具によれば、手摺りを構成する棒状部材の軸に対して略直角に上方に突出して握り部材を取り付けるようにしたことから、歩行者が身体のバランスの維持のために棒状部材から得ようとする保持力を、棒状部材の軸に対して略直角に上方に突出して取り付けられることによって、上記保持力の方向と直交する方向に延びる握り部材を介して得ることができるため、例えば、握力の弱い高齢者や身体障害者であっても、身体のバランスを維持するための保持力が得やすく、手摺りを持つ手が滑って歩行に支障を来すようなことがなく、安全に階段の昇降等をできるようにすることができる。
【００１０】
この場合において、握り部材を、直線状の棒状片から構成することにより、簡易な構造の握り部材により、所期の作用効果を得ることができる。
【００１１】
また、握り部材を、先端側を曲げた棒状片から構成することにより、握り部材の棒状片の基部と先端部とを、先端歩行者が保持しやすく、身体のバランスを維持するための保持力が得やすい異なる角度に設定することができ、より安全に階段の昇降等をできるようにすることができる。
【発明を実施するための最良の形態】
【００１２】
以下、本発明の手摺りの補助保持具の実施の形態を、図面に基づいて説明する。
【実施例１】
【００１３】
図１〜図５に、本発明の手摺りの補助保持具の一実施例を示す。
この手摺りの補助保持具は、歩行者が身体のバランスの維持のために長尺の棒状部材２を主体とする手摺りＨから得ようとする保持力を得やすくするための補助保持具であって、手摺りＨを構成する棒状部材２に、この棒状部材２の軸に対して略直角に上方に突出して取り付けられる握り部材１から構成される。
【００１４】
握り部材１の形状や材料、さらには、手摺りＨへの取付構造は、歩行者が手摺りＨから十分な保持力を得ることができ、かつ、耐久性を含む強度に問題がないものであれば、特に限定されるものではなく、種々の形状、金属、合成樹脂、ゴム、木材等の種々の材料、ネジ、接着剤等を用いた取付構造を用いることができる。
この握り部材１は、握り部材１を歩行者が握ることによって手摺りＨから得ようとする保持力を得やすくするためのものであるので、歩行者が握りやすく、かつ、歩行に可能な限り支障を来さないように、棒状部材２の軸に対して略直角に上方に５〜２０ｃｍ、好ましくは、１０ｃｍ程度突出して取り付けられるようにする。
ここで、「棒状部材２の軸に対して略直角に上方に突出して取り付けられる」とは、図１に示すように、握り部材１を、棒状部材２の軸に直交する面Ｐに対して±１０°、好ましくは、±５°程度の範囲内に取り付けることを意味し、本発明は、このように若干傾斜して取り付ける態様を排除するものでない。
また、握り部材１は、棒状部材２の真上に突出して取り付けるほか、例えば、棒状部材２を壁面に取り付ける場合には、歩行に可能な限り支障を来さないように、壁面側に３０°程度までの範囲で傾斜して取り付けこともでき、本発明は、このように若干傾斜して取り付ける態様を排除するものでない。
【００１５】
そして、本実施例においては、握り部材１は、プレス成形品よりなる取付金具１１と、この取付金具１１に固定したボルトナットからなる芯材１２と、芯材１２の表面を覆う、ＡＢＳ樹脂等の合成樹脂からなり、インサート成型することにより形成される内層１３と、エラストマからなり、インサート成型することにより形成される外層１４とから構成するようにしている。
【００１６】
プレス成形品よりなる取付金具１１は、手摺りＨを構成する棒状部材２にネジを用いて取り付けることができるようにしている。
なお、握り部材１の手摺りＨへの取付は、手摺りＨを構成する棒状部材２に直接取り付けるほか、手摺りＨを構成する棒状部材２を壁面等に取り付けるためのブラケット３に取り付けるようにしたり、ブラケット３と一体に構成するようにすることもできる。
【００１７】
取付金具１１に固定したボルトナットからなる芯材１２の表面を覆う、ＡＢＳ樹脂等の合成樹脂からなり、インサート成型することにより形成される内層１３は、芯材１２と外層１４の一体性を高めるとともに、握り部材１の概略形状を規定するためのもので、特に、外層１４との一体性を高めるために、インサート成型する際に表面に凹凸形状を形成することが好ましい。
【００１８】
エラストマからなり、インサート成型することにより形成される外層１４は、握り部材１の外形状を規定するためのもので、特に、保持力を得やすくするために、インサート成型する際に表面にしぼやディンプル等の微細な凹凸形状を形成することが好ましい。
【００１９】
ところで、本実施例においては、図１に示すように、握り部材１を、手摺りＨを構成する棒状部材２に、階段Ｓの２段ごとに設けるようにしているが、握り部材１の取付位置は、これに限定されず、手摺りＨを構成する棒状部材２の適宜位置、例えば、階段Ｓの１段ごと、３段以上ごと、さらには、歩行者が身体のバランスを崩しやすい任意の位置に選択的に設けることができる。
【００２０】
また、本実施例においては、握り部材１の外形状を、角を落とした横断面形状が矩形で、上方に向けて漸次拡大するようにした、直線状の棒状片から構成するようにしたが、握り部材１の外形状はこれに限定されず、例えば、図６に示す第１変形実施例のように、円柱状の棒状片から構成したり、図７に示す第２変形実施例のように、上部を曲面に形成した球状片（この場合、握り部材１を上方から握ることができる。）から構成することもできる。
【００２１】
さらに、握り部材１の外形状を、図８に示す第３変形実施例のように、先端側を曲げることにより、手摺りＨを構成する棒状部材２に対する角度を、握り部材１の基部１ａと先端部１ｂとで異ならせた棒状片から構成することができる。
この場合、握り部材１の曲げられた先端側が、手摺りＨを構成する棒状部材２の下傾斜側に位置するように取り付けるようにする。
これにより、握り部材１の棒状片の基部１ａと先端部１ｂとを、先端歩行者が保持しやすく、身体のバランスを維持するための保持力が得やすい異なる角度に設定することができ、より具体的には、階段Ｓを上るときには、図８（ａ）に示すように、握り部材１の基部１ａを握って、一方、階段Ｓを下るときには、図８（ｂ）に示すように、握り部材１の先端部１ｂを握って、安全に階段Ｓを昇降することができる。
なお、本実施例においては、握り部材１をく字状に折り曲げるようにしたが、曲線状に曲げることにより、アーチ状に形成することもできる。
【００２２】
この手摺りの補助保持具によれば、手摺りＨを構成する棒状部材２の軸に対して略直角に上方に突出して握り部材１を取り付けるようにしたことから、歩行者が身体のバランスの維持のために棒状部材２から得ようとする保持力を、棒状部材２の軸に対して略直角に上方に突出して取り付けられることによって、上記保持力の方向と直交する方向に延びる握り部材１を介して得ることができるため、例えば、握力の弱い高齢者や身体障害者であっても、身体のバランスを維持するための保持力が得やすく、手摺りＨを持つ手が滑って歩行に支障を来すようなことがなく、安全に階段Ｓの昇降等をできるようにすることができる。
【００２３】
以上、本発明の手摺りの補助保持具について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の手摺りの補助保持具は、握力の弱い高齢者や身体障害者であっても、身体のバランスを維持するための保持力を得やすいことから、階段の手摺りの用途に好適に用いることができるほか、例えば、スロープに設けられる手摺り、高齢者や身体障害者の歩行用に水平に設けられる手摺りやリハビリテーション用の手摺り等の用途にも用いることができ、また、本発明の手摺りの補助保持具は、新設の手摺りのほか、既設の手摺りにも適用することができる。
【図面の簡単な説明】
【００２５】
【図１】本発明の手摺りの補助保持具を適用した手摺りを示す説明図である。
【図２】本発明の手摺りの補助保持具の一実施例を示し、（ａ）は正面図、（ｂ）は平面図、（ｃ）は側面図である。
【図３】同補助保持具の取付金具及び芯材を示し、（ａ）は正面図、（ｂ）は平面図、（ｃ）は側面図である。
【図４】同補助保持具の内層を形成した状態を示し、（ａ）は正面図、（ｂ）は平面図、（ｃ）は側面図、（ｄ）は（ａ）のＡ−Ａ’断面図である。
【図５】同補助保持具の外層を形成した状態を示し、（ａ）は正面図、（ｂ）は平面図、（ｃ）は側面図である。
【図６】本発明の手摺りの補助保持具の第１変形実施例を示し、（ａ）は正面図、（ｂ）は平面図、（ｃ）は側面図である。
【図７】本発明の手摺りの補助保持具の第２変形実施例を示し、（ａ）は正面図、（ｂ）は平面図、（ｃ）は側面図である。
【図８】本発明の手摺りの補助保持具の第３変形実施例を示し、（ａ）は階段を上るときの状態を、（ｂ）は階段を下るときの状態を示す。
【符号の説明】
【００２６】
１    握り部材
１１  取付金具
１２  芯材
１３  内層
１４  外層
２  棒状部材
３  ブラケット
Ｈ  手摺り
Ｓ  階段
【図１】
2010053581.tif 000003
【図２】
2010053581.tif 000004
【図３】
2010053581.tif 000005
【図４】
2010053581.tif 000006
【図５】
2010053581.tif 000007
【図６】
2010053581.tif 000008
【図７】
2010053581.tif 000009
【図８】
2010053581.tif 000010